(57)【要約】【課題】本発明は、ユーザが携帯して自由に持ち運べ、さらに濃度を調整して水素ガスを供給可能な水素ガス吸引具を提供する。【解決手段】水素ガスを発生させて吸引するための水素ガス吸引具であって、少なくとも内部が中空な第１水素ガス吸引具本体と、内部に低圧逆止弁で繋がった吸引側中空層及び吸気側中空層を有した第２水素ガス吸引具本体と、前記第１及び第２水素ガス吸引具本体の間に水素ガス濃度を調整して通過させることが可能な可変式圧力制御弁と、が備えられ、前記第２水素ガス吸引具本体内部の吸気側中空層には、水と接触することで水素発生反応する物質と反応用水を載置可能であることを特徴とする。【選択図】  図１
2017093755.tif 000002
【特許請求の範囲】
【請求項１】
水素ガスを発生させて吸引するための水素ガス吸引具であって、
略筒形状の第１水素ガス吸引具本体と、内部に低圧逆止弁で繋がった吸引側中空層及び該吸気側中空層を有した第２水素ガス吸引具本体と、前記第１及び第２水素ガス吸引具本体の間に水素ガス濃度を調整して通過させることが可能な可変式圧力制御弁と、が備えられ、
前記第２水素ガス吸引具本体内部の吸気側中空層には、水と接触することで水素発生反応する物質と反応用水を載置可能であることを特徴とする水素ガス吸引具。
【請求項２】
前記第１水素ガス吸引具本体にその内部と外部雰囲気と繋げる外気貫通孔を備えること、を特徴とする請求項１に記載の水素ガス吸引具。
【請求項３】
前記第２水素ガス吸引具本体に逆止弁を備え、外部雰囲気から前記第２水素ガス吸引具本体内部の吸引側中空層に外気の取り込みを可能とする、特徴を有する請求項１又は２に記載の水素ガス吸引具。
【請求項４】
前記第２水素ガス吸引具本体内部の吸気側中空層に載置する物質が水素化アルミニウムであること、を特徴とする請求項１〜３に記載の水素ガス吸引具。
【請求項５】
前記前記第１水素ガス吸引具本体内部にアロマオイルを含有したアロマ含有フィルタを備えること、を特徴とした請求項１〜４に記載の水素ガス吸引具。
【発明の詳細な説明】
【技術分野】
【０００１】
本発明は、携帯可能かつ濃度を調節して水素ガスを供給可能な水素ガス吸引具に関する。
【背景技術】
【０００２】
近年、神経変性疾患及び急性肺障害等の様々な動物疾患実験や、メタボリック症候群及び糖尿病等における人間の臨床実験で水素の有効性が示され、医療応用における種々の研究が盛んに行われている。水素は、老化の促進や動脈硬化及び癌等種々の疾患を引き起こす原因となっている悪玉活性酸素（＝ヒドロキシルラジカル）のみを体内から除去し、体の組織や細胞に悪影響を及ぼさないことから、静脈投与、水溶液の経口投与、気体吸入等、体内へ取込む手法は幅広い。
【０００３】
気体吸入で水素を体内へ取込む従来の方法として、イオン交換膜と、イオン交換膜の両面にそれぞれ密着する一対の電極板と、イオン交換膜の両面に一対の電極板をそれぞれ密着させる固定部と、を有する電気分解板が載置された電解槽に水を入れ、当該電気分解板に通電することで水素ガスを発生させることが可能な卓上型水素発生装置が用いられている（例えば特許文献１参照）。当該卓上型水素発生装置は、ユーザが任意に移動させて使用することができるため、据え置きでのみ使用可能な水素発生装置と比して使い勝手が向上するものである。
【０００４】
しかしながら、上記従来の卓上型水素発生装置では、小型化されたものの使用するためにコンセントから電源を確保する必要があり、使用可能となる移動範囲には制限があった。また、ユーザが吸引する水素ガスは濃度が一定ではなく、ユーザが所望する濃度の水素ガスの提供が困難となる問題があった。
【先行技術文献】
【特許文献】
【０００５】
【特許文献１】特願２０１２−２８９２９０号公報
【発明の開示】
【発明が解決しようとする課題】
【０００６】
本発明は、以上の事情に鑑みて創作されたものであり、ユーザが携帯して自由に持ち運べ、さらに濃度を調整して水素ガスを供給可能な水素ガス吸引具の提供を目的とする。
【課題を解決するための手段】
【０００７】
上記の課題を解決すべく、本発明の水素ガス吸引具は、
水素ガスを発生させて吸引するための水素ガス吸引具であって、
略筒形状の第１水素ガス吸引具本体と、内部に低圧逆止弁で繋がった吸引側中空層及び吸気側中空層を有した第２水素ガス吸引具本体と、前記第１及び第２水素ガス吸引具本体の間に水素ガス濃度を調整して通過させることが可能な可変式圧力制御弁と、が備えられ、
前記第２水素ガス吸引具本体内部の吸気側中空層には、水と接触することで水素発生反応する物質と反応用水を載置可能であることを特徴とする。
【０００８】
前記第１水素ガス吸引具本体にその内部と外部雰囲気と繋げる外気貫通孔を備えることを特徴とする。
【０００９】
前記第２水素ガス吸引具本体に逆止弁を備え、外部から前記第２水素ガス吸引具本体内部の吸引側中空層に外気雰囲気の取り込みを可能とすることを特徴とする。
【００１０】
上記のような構成を有する本発明の水素ガス吸引具を使用することにより、可変式圧力制御弁の設定に応じた濃度の水素ガスが第２水素ガス吸引具本体から第１水素ガス吸引具本体に水素ガスが移送されることとなる。また、当該可変式圧力制御弁の設定はユーザが選択して決定することができるため、使用するユーザの体調や状況によって設定を変更して使用することが可能となる。さらに、第１水素ガス吸引具本体には外気貫通孔が備えられ、第２水素ガス吸引具本体には逆止弁が備えられているため、ユーザの吸引時に当該第１及び第２水素ガス吸引具本体内部に外気を取り入れ、負圧になることを防止することが出来る。
【００１１】
さらに上記のような構成を有する本発明においては、前記第２水素ガス吸引具本体内部の吸気側中空層に載置する物質が水素化アルミニウムであることが望ましい。
【００１２】
アルミニウム粉末を用いた水素発生反は、水素発生量を確保する上で有効であり定常安定的であり、さらに従来技術等の電気分解を行わないため水素ガスの発生に電源を必要としない。このため、ユーザは使用場所を制限されることなく自由に携帯することが可能となる。
【００１３】
さらに上記のような構成を有する本発明においては、前記前記第１水素ガス吸引具本体内部にアロマオイルを含有したアロマ含有フィルタを備えることが好ましい。
【００１４】
本発発明の水素ガス吸引具には、ユーザが任意に選択してアロマ含有フィルタを使用することが出来るため、水素ガスの吸引と共にユーザが所望する香りを楽しむことが出来る。
【図面の簡単な説明】
【００１５】
【図１】本発明における水素ガス吸引具の構成を示す斜視図である。
【図２】本発明における水素ガス吸引具の構成を示す断面図である。
【図３】本発明の水素ガス吸引具内部における水素ガス及び外気の流れを示した模式図である。
【発明を実施するための形態】
【００１６】
以下、本発明の水素ガス吸引具に係る代表的な実施形態を、図１〜図４を参照しながら詳細に説明するが、本発明は図示されるものに限られないことはいうまでもない。また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１７】
まず、本発明の水素ガス吸引具における構成について、図１を参照しつつ説明する。図１は、本発明における水素ガス吸引具の構成を示す斜視図である。本発明の水素ガス吸引具は、概ね第１水素ガス吸引具本体１と、第２水素ガス吸引具本体２と、吸引用マウスピース３と、バッテリ５と、バッテリ収納部６と、水素発生用カートリッジ７と、反応用水９と、化粧蓋１１と、嵌合用蓋１３と、アロマ含浸フィルタ１５と、カーボンフィルタ１７と、本体嵌合具１９と、によって構成されている。本発明の水素ガス吸引具は少なくても上記各部品を組み合わせることで使用することが可能であり、当該組み合わせについては以下で詳細に説明する。
【００１８】
本発明の水素ガス吸引具における吸引側は、ユーザが直接唇で咥えて使用するため、長期使用を想定した衛生の観点から、吸引用マウスピース３が設けられている。当該吸引用マウスピース３は嵌合用蓋１３を介して水素ガス吸引具本体１と嵌合可能であり、ユーザの任意で脱着して交換可能となっている。
【００１９】
また、ユーザの口腔内や唇の大きさはユーザ個々によって違いがあるため、吸引用マウスピース３は数種のサイズ展開がされることが好ましく、ユーザは自身に合ったサイズの吸引用マウスピース３を選択して使用することができる。
【００２０】
上述において説明した通り、吸引用マウスピース３は、嵌合用蓋１３を介して水素ガス吸引具本体１と嵌合することとなる。このため、当該嵌合用蓋１３は吸引側に吸引用マウスピース３を嵌合するための第１突起１３Ａが備えられ、さらに吸気側には水素ガス吸引具本体１と嵌合するための第２突起１３Ｂが備えられている。
【００２１】
また、第１水素ガス吸引具本体１内部にはアロマ含有フィルタ１５及びカーボンフィルタ１７が挿入されているため、嵌合用蓋１３は当該２種のフィルタを第１水素ガス吸引具本体１内部に固定する役割も併せ持つ。
【００２２】
アロマ含有フィルタ１５は、アロマオイル（香料を含有した油）が注入された香り付けのフィルタであり、ユーザは予め香り別に用意された数種のアロマ含有フィルタ１５から任意に選択して使用することが可能である。また、カーボンフィルタ１７は、水素ガスＬ１発生時のにおいや不純物を吸着し、ユーザに快適な水素ガスＬ１吸引を促すためのものである。
【００２３】
次に、図２を用いて本発明の水素ガス吸引具の構成をより詳細に説明する。図２は、本発明における水素ガス吸引具の構成を示す断面図である。第１水素ガス吸引具本体１及び第２水素ガス吸引具本体２は、内部に中空層（カーボンフィルタ１７等を外した状態で）を有する略筒状で、当該２つの本体は本体嵌合具１９によって連結されている。
【００２４】
本体嵌合具１９には、第１嵌合部１９Ａと、第２嵌合部１９Ｂと、可変式圧力制御弁２５と、が備えられており、第１嵌合部１９Ａは第１水素ガス吸引具本体１の吸気側と嵌合し、第２嵌合部１９Ｂは第２水素ガス吸引具本体２の吸引側と嵌合する。
【００２５】
また、第１水素ガス吸引具本体１の吸引側側面には外気貫通孔３１が備わっており、第１水素ガス吸引具本体１内部の中空層が外部と繋がっている。
【００２６】
第２水素ガス吸引具本体２内部の中空層は界壁２７によって２つに区画されており、吸引側中空層３９と、吸気側中空層４１と、に別れ、界壁２７には吸気側中空層４１から吸引側中空層３９へ水素ガスＬ１のみを移送することが可能な低圧逆止弁２９と、カートリッジ固定リブ３５と、が備わっている。さらに第２水素ガス吸引具本体２の吸引側側面には逆止弁３３が備わっており、第２水素ガス吸引具本体２内部の吸引側中空層３９は外部から外気Ｌ２を取り入れることが可能である。
【００２７】
吸気側中空層４１内部には、水素発生用カートリッジ７及び反応用水９が挿入され、化粧蓋１１によって閉栓されている。水素発生用カートリッジ７は、内部に水素化アルミニウム３７（ＡｌＨ３）が入れられており、水素発生用カートリッジ７外部から水が侵入し、当該水素化アルミニウム３７と接触することで水素ガスＬ１を発生させることが可能である。
【００２８】
さらに、第２水素ガス吸引具本体２の側面にはバッテリ収納部６と、電子基板２０と、ＬＥＤランプと、操作ボタン２３と、が備わっており、バッテリ収納部６には充電型又は非充電型のバッテリ５を装着し、電子基板３５に電力を供給する。
【００２９】
電子基板２０には、ＬＥＤランプ２１と、操作ボタン２３と、本体嵌合具１９に備えられた可変式圧力制御弁２５と、が繋がっており、電子基板２０によって制御される。可変式圧力制御弁２５は、低濃度モード：０．０５ａｔｍ（空気５０ｃｃ中に、水素ガスＬ１が少なくとも２．５ｃｃ含有）と、高濃度モード：０．１ａｔｍ（空気５０ｃｃ中に、水素ガスＬ１が少なくとも５．０ｃｃ含有）と、を選択することができ、操作ボタン２３を操作することで電子基板２０が切り替える。
【００３０】
次に、図３を示して本発明の水素ガス吸引具を用いた水素ガスＬ１の発生から吸引までのフローについて説明する。図３は、本発明の水素ガス吸引具内部における水素ガスＬ１及び外気Ｌ２の流れを示した模式図である。
【００３１】
まず、ユーザは第２水素ガス吸引具本体２の吸気側中空層４１に水素発生用カートリッジ７を挿入し、カートリッジ固定リブ３５に当てつつ固定する。次に、カートリッジ固定リブ３５が完全に浸水するまでスポイト（図示せず）等を用いて当該吸気側中空層４１に反応用水９を充填し、化粧蓋１１で閉栓する。
【００３２】
第２水素ガス吸引具本体２内部の吸気側中空層４１に充填された反応用水９は、水素発生用カートリッジ７内部に侵入し、該水素発生用カートリッジ７内部の水素化アルミニウム３７と接触することで水素ガスＬ１を発生させる（２ＡｌＨ３＋３Ｈ２Ｏ→Ａｌ２Ｏ３＋６Ｈ２）。
【００３３】
水素発生用カートリッジ７と、反応用水９と、により発生した水素ガスＬ１は、第２水素ガス吸引具本体２内部の吸気側中空層４１内部で一定量以上蓄積されると、界壁２７に設けられた低圧逆止弁２９を通過して吸引側中空層３９に移送される。
【００３４】
次に、ユーザは操作ボタン２３を操作して可変式圧力制御弁２５を低濃度モード又は高濃度モードに設定する。ＬＥＤランプ２１は、可変式圧力制御弁２５の設定状態によって発光色が変化するもので、停止状態又は使用不可状態が赤色、低濃度モードが緑色、高濃度モードが青色に対応する。
【００３５】
第２水素ガス吸引具本体２内部の吸引側中空層３９に移送された水素ガスＬ１は、徐々に吸引側中空層３９内部に蓄積され、待機状態となる。続いてユーザは、吸引用マウスピース３を口に咥え、本発明の水素ガス吸引具からゆっくりと吸気を行う。
【００３６】
ユーザの吸気によって負圧となった第１水素ガス吸引具本体１内部に、外気貫通孔３１から外気Ｌ２と、第２水素ガス吸引具本体２内部の吸引側中空層３９から可変式圧力制御弁２５を介して水素ガスＬ１が侵入する。第１水素ガス吸引具本体１内部に侵入する水素ガスＬ１は、予め設定した可変式圧力制御弁２５の低濃度モード又は高濃度モードによって、ユーザが所望する濃度とすることが出来る。
【００３７】
第２水素ガス吸引具本体２内部の吸引側中空層３９から第１水素ガス吸引具本体１内部に水素ガスＬ１が移送される際、逆止弁３３から吸引側中空層３９に外気Ｌ２が取り込まれる。これにより、吸引側中空層３９が過度な負圧とならず界壁２７の低圧逆止弁２９に負荷を与えない。
【００３８】
第１水素ガス吸引具本体１内部に移送された水素ガスＬ１はカーボンフィルタ１７を通過する。当該カーボンフィルタ１７は、活性炭により構成されたフィルタであり、水素ガスＬ１に付着した発生時の臭いや不純物を吸着して取り除く。
【００３９】
続いて、水素ガスＬ１はアロマ含有フィルタ１５に移送され、第１水素ガス吸引具本体１内部にユーザが予め選択して挿入したアロマ含有フィルタ１５の香りを付帯する。ユーザは、アロマ含有フィルタ１５を使用することで水素ガスＬ１を吸引しつつ所望する香りを楽しむことが出来るが、香りの無い無臭の水素ガスＬ１を吸引したい場合はアロマ含有フィルタ１５を無臭フィルタに置き換えて使用することも可能である。
【００４０】
次に、水素ガスＬ１は嵌合用蓋１３内部を通過して吸引用マウスピース３に移送され、ユーザの口腔内へ到着することとなる。なお、ユーザが本発明の水素ガス吸引具から吸気を行う度に、第１水素ガス吸引具本体１内部には外気貫通孔３１から外気Ｌ２が取り込まれ、酸素低下を防止する。また外気貫通孔３１は、第１水素ガス吸引具本体１内部に圧力が掛かった際、外部に圧力を逃がすベントの機能も併せ持つ。
【００４１】
以上、本発明の水素ガス吸引具についてその実施形態を例示説明してきたが、本発明はこれに限定されるものではなく、特許請求の範囲および明細書等の記載の精神や教示を逸脱しない範囲で他の変形例や改良例が得られることが当業者は理解できるであろう。
【産業上の利用可能性】
【００４２】
本発明は、可変式圧力制御弁の設定に応じた濃度の水素ガスが第２水素ガス吸引具本体から第１水素ガス吸引具本体に水素ガスが移送されることとなる。また、当該可変式圧力制御弁の設定はユーザが選択して決定することができるため、使用するユーザの体調や状況によって設定を変更して使用することが可能となる。さらに、第１水素ガス吸引具本体には外気貫通孔が備えられ、第２水素ガス吸引具本体には逆止弁が備えられているため、ユーザの吸引時に当該第１及び第２水素ガス吸引具本体内部に外気を取り入れ、負圧になることを防止することが出来るものである。
【符号の説明】
【００４３】
１      第１水素ガス吸引具本体
２      第２水素ガス吸引具本体
３      吸引用マウスピース
５      バッテリ
７      水素発生用カートリッジ
９      反応用水
１１    化粧蓋
１３    嵌合用蓋
１３Ａ  第１突起
１３Ｂ  第２突起
１５    アロマ含浸フィルタ
１７    カーボンフィルタ
１９    本体嵌合具
１９Ａ  第１嵌合部
１９Ｂ  第２嵌合部
２０    電子基板
２１    ＬＥＤランプ
２３    操作ボタン
２５    可変式圧力制御弁
２７    界壁
２９    低圧逆止弁
３１    外気貫通孔
３３    逆止弁
３５    カートリッジ固定リブ
３７    水素化アルミニウム
３９    吸引側中空層
４１    吸気側中空層
Ｌ１    水素ガス
Ｌ２    外気
【図１】
2017093755.tif 000003
【図２】
2017093755.tif 000004
【図３】
2017093755.tif 000005